(57)【特許請求の範囲】
【請求項１】
ユーザの備蓄に係る防災商品の商品状態を管理する、所定のソフトプログラムがインストールされた前記ユーザの携帯端末と該携帯端末と接続したサーバとを含む商品状態管理システムであって、
ａ）前記防災商品に付与された固有IDに関連付けて、前記ユーザのユーザID及び前記防災商品の使用期限を含む商品情報を記憶する、前記サーバに設けられた商品データベースと、
ｂ）前記ユーザID及び前記携帯端末にインストールされた前記ソフトプログラムのアプリIDであって、前記携帯端末の端末IDに紐づけて記録されるものを含むユーザ情報を記憶する、前記サーバに設けられたユーザデータベースと、
ｃ）前記防災商品の使用期限を所定の監視スケジュールで前記商品情報に基づいて監視をして、該防災商品の入替時期か否かを判定し、該入替時期であると判定された場合において、該判定に係る前記防災商品の前記商品情報に含まれる前記ユーザIDの前記ユーザの前記ユーザ情報に含まれる前記アプリIDが紐づけられた前記端末IDに係る前記携帯端末にインストールされた前記ソフトプログラムを宛先とする、前記固有IDを含む入替予告通知を送信する、前記サーバに設けられた入替予告通知手段と、
を含み、
前記ソフトプログラムは、前記携帯端末と協働して、前記入替予告通知を自動受信する通知受信手段と、前記入替予告通知に係る防災商品の更新注文依頼を送信する入替指令手段と、前記入替予告通知に係る前記固有IDに関連付けられた商品情報を前記商品データベースに接続して閲覧する閲覧手段と、を実現することを特徴とするシステム。
【請求項２】
前記ソフトプログラムは、前記携帯端末にインストールされて該携帯端末と協働することにより、
さらに前記備蓄を利用する人員の人員構成を含む人員情報の入力をする人員情報入力手段と、
該人員情報に応じて生成される防災商品リストの数量設定テンプレートを表示するテンプレート表示手段と、
該数量設定テンプレートに対する数量設定を受けて完成された防災商品リストに従って防災商品の新規注文依頼を前記サーバに送信する新規注文依頼手段と、
をさらに実現することを特徴とする請求項１に記載のシステム。
【請求項３】
前記表示される数量設定テンプレートには、前記人員情報の入力に係る人員情報に基づいて計算されたデフォルト数量が設定されていることを特徴とする請求項２に記載のシステム。
【請求項４】
前記防災商品には、前記固有IDを含むコードを格納し、該コードを所定の提示方式で前記携帯端末への提示が可能であるコード格納提示手段が取り付けられており、
前記ソフトプログラムは、前記携帯端末にインストールされて該携帯端末と協働することにより、前記提示に係るコードを受け取って前記固有IDの取得をするID取得手段をさらに実現することを特徴とする請求項１に記載のシステム。
【請求項５】
前記商品情報は、さらに前記防災商品の商品アイテム識別情報を含むことを特徴とする請求項1に記載のシステム。
【請求項６】
前記提示方式は光学読取可能なコードの表示であって、前記固有IDの取得は前記携帯端末の画像取得部と前記ソフトプログラムとが協働して実現されることを特徴とする請求項４に記載のシステム。
【請求項７】
前記提示方式は無線のよるコードの送信であって、前記固有IDの取得は前記携帯端末の無線機能と前記ソフトプログラムとが協働して実現されることを特徴とする請求項４に記載のシステム。
【請求項８】
前記更新注文依頼により提供された防災商品の固有コードを前記サーバに送信して、前記備蓄に係る防災商品の商品情報について更新依頼する更新依頼手段が、前記ソフトプログラムが前記携帯端末にインストールされて該携帯端末と協働することにより、実現されることを特徴とする請求項１に記載のシステム。
【発明の詳細な説明】
【技術分野】
【０００１】
本発明は、防災商品の商品状態管理システムに関し、特に商品の使用期限を含む商品状態を監視して、防災商品の商品状態が適切な状態に維持されるように管理するシステムに関するものである。
【背景技術】
【０００２】
近年、頻発する災害に対して、自治体や企業は勿論のこと、一般家庭レベルにおいても災害に対する備蓄等の防災商品を充実させることが求められている。
しかしながら、一般家庭の災害に対する備蓄は、安心できない状況にある。未来の予期せぬ災害に対する備えを個人、家庭レベルで維持し続けることは困難であった。飲料水、食料品、清潔品、薬・救急用品などの備蓄が最低限必要となるが、特に使用期限を持つ商品は、定期的に入れ替える必要がある。
【０００３】
このような入替の必要に応じるため、格納室に格納される災害用物資の数量等の情報として在庫情報を保持し、在庫数が所定値以下となったり賞味／使用期限が経過したりした場合に、補充要求を通知する技術は知られている。しかしながら、賞味／使用期限を経過した災害用物資の入替に係る技術は知られていない。
【０００４】
特許文献１において、物品を有効に活用することを支援できる技術として、収納庫に収納されている物品に付された無線タグによって送信された物品に関する物品情報を取得する物品情報取得部と、物品情報を用いて、物品の状態を管理する物品状態管理部と、物品の状態に基づいて、物品の貸出可否を判定する貸出可否判定部と、貸出可否判定部による判定結果に応じて記物品の貸出処理を実行する貸出処理実行部とを備える情報処理装置が開示されている。
しかしながら、収納庫に収納されている物品の入替に係る技術は開示されていない。
【先行技術文献】
【特許文献】
【０００５】
【特許文献１】特開2018-180891号公報
【発明の概要】
【発明が解決しようとする課題】
【０００６】
本発明が解決しようとする課題は、備蓄中の防災商品について防災商品についてその商品状態データを管理して、備蓄中の防災商品についての情報共有を可能にし、家庭等に備蓄された防災商品の入替が正しく実行されて、常に備蓄が正しい状態に維持されるように、ユーザが管理できるシステムを提供することである。
【課題を解決するための手段】
【０００７】
本発明の第１の観点によれば、ユーザの備蓄に係る防災商品の商品状態を管理する、所定のソフトプログラムがインストールされた前記ユーザの携帯端末と該携帯端末と接続したサーバとを含む商品状態管理システムであって、
ａ）前記防災商品に付与された固有IDに関連付けて、前記ユーザのユーザID及び前記防災商品の使用期限を含む商品情報を記憶する、前記サーバに設けられた商品データベースと、
ｂ）前記ユーザID及び前記携帯端末にインストールされた前記ソフトプログラムのアプリIDであって、前記携帯端末の端末IDに紐づけて記録されるものを含むユーザ情報を記憶する、前記サーバに設けられたユーザデータベースと、
ｃ）前記防災商品の使用期限を所定の監視スケジュールで前記商品情報に基づいて監視をして、該防災商品の入替時期か否かを判定し、該入替時期であると判定された場合において、該判定に係る前記防災商品の前記商品情報に含まれる前記ユーザIDの前記ユーザの前記ユーザ情報に含まれる前記アプリIDが紐づけられた前記端末IDに係る前記携帯端末にインストールされた前記ソフトプログラムを宛先とする、前記固有IDを含む入替予告通知を送信する、前記サーバに設けられた入替予告通知手段と、
を含み、
前記ソフトプログラムは、前記携帯端末と協働して、前記入替予告通知を自動受信する通知受信手段と、前記入替予告通知に係る防災商品の更新注文依頼を送信する入替指令手段と、前記入替予告通知に係る前記固有IDに関連付けられた商品情報を前記商品データベースに接続して閲覧する閲覧手段と、を実現することを特徴とするシステムが提供される。
【０００８】
前記ソフトプログラムは、前記携帯端末にインストールされて該携帯端末と協働することにより、
さらに前記備蓄を利用する人員の人員構成を含む人員情報の入力をする人員情報入力手段と、
該人員情報に応じて生成される防災商品リストの数量設定テンプレートを表示するテンプレート表示手段と、
該数量設定テンプレートに対する数量設定を受けて完成された防災商品リストに従って防災商品の新規注文依頼を前記サーバに送信する新規注文依頼手段と、
をさらに実現する、としてもよい。
【０００９】
前記表示される数量設定テンプレートには、前記人員情報の入力に係る人員情報に基づいて計算されたデフォルト数量が設定されている、としてもよい。
【００１０】
ここで、前記防災商品には、前記固有IDを含むコードを格納し、該コードを所定の提示方式で前記携帯端末への提示が可能であるコード格納提示手段が取り付けられており、前記ソフトプログラムは、前記携帯端末にインストールされて該携帯端末と協働することにより、前記提示に係るコードを受け取って前記固有IDの取得をするID取得手段をさらに実現する、としてもよい。
【００１１】
前記商品情報は、さらに前記防災商品の商品アイテム識別情報を含む、としてもよい。
【００１２】
前記提示方式は光学読取可能なコードの表示であって、前記固有IDの取得は前記携帯端末の画像取得部と前記ソフトプログラムとが協働して実現される、としてもよい。
【００１３】
前記提示方式は無線のよるコードの送信であって、前記固有IDの取得は前記携帯端末の無線機能と前記ソフトプログラムとが協働して実現される、としてもよい。
【００１４】
前記注文依頼により提供された防災商品の固有コードを前記商品データベースに送信して、前記備蓄に係る防災商品の商品情報について更新依頼する更新依頼手段が、前記ソフトプログラムが前記携帯端末にインストールされて該携帯端末と協働することにより、実現される、としてもよい。
【図面の簡単な説明】
【００１５】
【図１】図１は、本実施例の商品状態管理システムの構成を示した全体図である。
【図２】図２は、防災商品に取付けるコード格納提示手段として、2次元コードではなく無線タグを採用した例を示したものである。
【図３】図３は、商品状態管理サーバの機能構成を示した機能ブロック図である。
【図４】図４は、ユーザデータベースに格納されたユーザ情報のデータ構造を示したブロック図である。
【図５】図５は、商品データベースに格納されたデータのデータ構造を示したブロック図である。
【図６】図６は、人員データベースに格納された人員データのデータ構造を示したブロック図である。
【図７】図７は、ｎ人の場合の人員構成データのデータ構造の詳細を示し場ブロック図である。
【図８】図８は、本実施例の商品状態管理のための商品状態管理アプリをインストールしたユーザの携帯端末において実現される機能構成部を示したブロック図である。
【図９】図９は、人員情報入力画面のイメージ図である。
【図１０】図１０は、備蓄防災商品の数量設定テンプレートの構成を示すイメージ図である。
【図１１】図１１は、ユーザからの受注に基づく新規出荷のシーケンス図である。
【図１２】図１２は、入替予告通知の画面表示を示したイメージ図である。
【図１３】図１３は、ID読取及び閲覧依頼依頼の操作を受け入れるアプリ画面のイメージ図である。
【図１４】図１４は、ユーザの操作によって携帯端末に表示された閲覧のアプリ画面である。
【図１５】図１５は、本実施例の商品状態管理のための業者用商品状態管理アプリをインストールした納入業者の携帯端末において実現される機能構成を示したブロック図である。
【図１６】図１６は、ID取得及び閲覧開始のためのアプリ画面の一例を示したイメージ図である。
【図１７】図１７は、閲覧部の動作によって表示された商品情報表示画面の一例である。
【図１８】図１８は、入替に係る本実施例のシステムの構成要素の動作を示したシーケンス図である。
【発明を実施するための形態】
【００１６】
防災のために備蓄された商品についてその商品状態を管理して、商品状態について情報共有し、実際の商品入替が正しく行われるように情報を提供するという目的を、ユーザ等の携帯端末を活用する商品状態管理システムを提供することにより実現した。
【００１７】
以下、本発明の具体例につき図面を用いた実施例において説明する。
実施例において、本発明の機能を実現する各機能構成部は、予め組み込まれたファームウエア等の制御プログラムあるいは記憶装置に格納されたアプリケーションを携帯端末、コンピュータ、回路等のプロセッサーで実行することにより実現される。
【実施例１】
【００１８】
図１は、本実施例の商品状態管理システムの構成を示した全体図である。
備蓄先１００１に備蓄された防災商品１００２ａ〜１００２ｍ、商品状態管理サーバ１００４、ユーザ１００５の所持する携帯端末１００６、通信ネットワーク１００７、納入業者１００８の所持する携帯端末１００９そして入替納入商品１０１０という構成である。
ここで、ユーザとは、本システムを利用して自らの備蓄先における防災商品の商品状態を維持しているシステム利用者を示す用語として用いる。
また、納入業者とは、本システムによる商品状態維持をサービスとして提供するために本システムの管理の下に新規出荷や入替のための防災商品を備蓄先に届けるデリバリー等を行う者を示す用語として用いる。
【００１９】
備蓄先の防災商品１００２ａ〜１００２ｍには、それぞれの商品に固有の固有ＩＤを格納した2次元コード１００３ａ〜１００３ｍが取付けられている。
また、納入業者が入替のために運搬している入替納入商品１０１０にも、2次元コード１０１１が取付けられている。
これらの2次元コードは、携帯端末１００６や携帯端末１００９に設けられたコードスキャン機能によって読取可能である。
ここでは固有IDを格納するコード格納提示手段として、2次元コードが採用されているが、本発明に採用可能なコード格納提示手段はこれに限定されるものでない。採用する携帯端末が読取対応できるものであれば、1次元バーコード、無線タグなどの他の方式のコード格納提示手段が適宜採用されうる。
【００２０】
図２は、防災商品に取付けるコード格納提示手段として、2次元コードではなく無線タグを採用した例を示したものである。
変形例の場合、防災商品２００１に固有ＩＤを記憶したメモリを有する無線タグ２００２を取付けてある。ユーザや納入業者の携帯端末の無線機能によって、メモリに格納された固有ＩＤを読み出す方式である。
【００２１】
図３は、商品状態管理サーバ１００４の機能構成を示した機能ブロック図である。
携帯端末を操作してアクセスしてくるユーザ１００５を認証するユーザ認証部３００１、受注部３００２、登録部３００３、商品出荷依頼部３００４、入替予告通知部３００５、入替依頼部３００６、商品情報提供部３００７、データ更新部３００８そしてユーザ１００５や納入業者１００９の携帯端末との通信を制御する通信部３００９、ユーザデータベース３０１０、商品データベース３０１１そして人員データベース３０１２という機能構成部から構成される。
ここでユーザが自らの携帯端末に商品状態管理アプリをインストールするに際して、後で説明するユーザ情報がユーザデータベース３０１０に登録される。
【００２２】
（ユーザデータベース）
図４は、ユーザデータベース３０１０に格納されたユーザ情報のデータ構造を示したブロック図である。ユーザID４００１、氏名４００２、住所４００３、携帯端末の宛先４００４、備蓄先IDを含む備蓄先情報４００５、決済方法４００６そして認証情報４００７というデータ項目から構成される。
ここで携帯端末の宛先とは、携帯端末にインストールされる商品状態管理のソフトプログラム（以下、商品状態管理アプリという）のアプリIDであり、当該携帯端末にインストールされるときに当該商品状態管理システムの管理者側に携帯端末の端末IDと紐づけて登録され、ユーザ認証やプッシュ通知に利用される。
【００２３】
（商品データベース）
図５は、商品データベース３０１１に格納されたデータのデータ構造を示したブロック図である。防災商品を個別に識別する固有ID５００１、防災商品の商品アイテムの識別情報であるＪＡＮコード５００２、商品アイテム名５００３、使用期限を含む商品情報５００４、当該商品を注文したユーザのユーザID５００５、備蓄先ID５００６そして携帯端末１００９の宛先を含む納入業者情報５００７という構造である。
ここで使用期限とは、ここの防災商品毎に製造時に設定された使用又は賞味に耐える期間の終りを示す期限であり、賞味期限も含む用語として用いる。
【００２４】
図６は、人員データベース３０１２に格納された人員データのデータ構造を示したブロック図である。
ユーザID６００１、備蓄先ID６００２そして人員構成データ６００３という構成である。
【００２５】
人員構成データ６００３は、備蓄先に保管された備蓄商品を利用することが想定される家族などの人員となるメンバーそれぞれの個人属性である。
【００２６】
図７は、ｎ人の場合の人員構成データのデータ構造の詳細を示し場ブロック図である。人員１の個人属性７００１、人員２の個人属性７００２、人員ｎの個人属性７００３というように人員毎の属性が格納される。
各人員について、人員識別情報７００４、氏名７００５、性別７００６、生年月日７００７、体重７００８そして身長７００９という属性が格納されている。
【００２７】
受注部３００２は、ユーザの携帯端末１００６から送信された備蓄防災商品リストを含む発注電文を受信する。
【００２８】
商品出荷依頼部３００３は、納入業者の携帯端末に対して備蓄防災商品リストに係る防災商品についての出荷依頼電文を送信する。
【００２９】
登録部３００４は、納入業者から備蓄先へ出荷した防災商品について、固有ID、JANコード、商品アイテム名、使用期限、発注に係るユーザID、出荷先の備蓄先IDそして納入業者情報から構成される商品データを商品データベース３０１１に登録する。
【００３０】
入替予告通知部３００５は、所定の監視周期の監視タイミングで商品データベースに登録された防災商品の使用期限が、そのタイミングにおいて予め商品アイテムごとに設定した計算方式によって決定される入替時期であるかどうかの判断し、入替時期にある防災商品について、その防災商品のユーザの携帯端末の宛先に入替時期にある防災商品の入替予告通知を、通信部３００９を介して、プッシュ通知する。
【００３１】
入替依頼部３００６は、入替予告通知を受信したユーザの携帯端末１００６からの入替指令を通信部３００９が受信すると、納入業者情報５００７に含まれる宛先に当該入替指令に係る防災商品についての入替依頼を送信する。
【００３２】
商品情報提供部３００７は、ユーザの携帯端末からの固有IDを含む閲覧要求に応じて、商品データベース３０１１を参照し、閲覧要求に係る商品情報を含む閲覧情報を閲覧要求に係る携帯端末に送信する。
【００３３】
データ更新部３００８は、納入業者の携帯端末１００９からの入替報告を通信部３００９が受信すると、入替に応じて商品データの更新を実行する。
ここで更新とは、入替対象の防災商品の商品データを削除して、新たに入替納入の防災商品の商品データを追加することである。
【００３４】
（ユーザの携帯端末）
図８は、本実施例の商品状態管理システムの運営者から提供される商品状態管理のための商品状態管理アプリをインストールしたユーザの携帯端末１００６において実現される機能構成部を示したブロック図である。
人員情報入力部８００１、テンプレート表示部８００２、新規注文依頼部８００３、通知受信部８００４、入替指令部８００５、ID取得部８００６、更新依頼部８００７、閲覧部８００８そして商品状態管理サーバとの通信を制御する通信制御部８００９という機能構成部からなる構成である。
【００３５】
人員情報入力部８００１は、携帯端末に人員情報入力画面を表示し、ユーザによる人員情報入力を支援する。
【００３６】
図９は、人員情報入力画面のイメージ図である。
人員情報入力画面９０００は、人員情報入力フォーム９００１と次の人員入力ボタン９００７と入力終了ボタン９００８から構成されている。人員情報入力フォームは、氏名入力欄９００２、性別入力欄９００３、生年月日入力欄９００４、体重入力欄９００５そして身長入力欄９００６が設けられており、備蓄に必要な防災商品リストの作成のための基礎情報となる。
本発明で採用可能な個人属性は、ここで示した人員情報を構成する個人属性に限定されるものではない。異なる種類の個人属性を採用すること、少ない種類の個人属性を採用することなどが可能である。
【００３７】
テンプレート表示部８００２は、入力された人員情報に基づいて選択された商品アイテムの組と商品アイテム毎に所定の計算方式で計算されたデフォルト数量で構成された備蓄防災商品の数量設定テンプレートを携帯端末に表示する。
図１０は、備蓄防災商品の数量設定テンプレートの構成を示すイメージ図である。
備蓄防災商品の数量設定テンプレート画面１００００において、商品アイテム名欄１０００２と数量欄１０００３とからなる備蓄防災商品の数量設定テンプレート１０００１と決定ボタン１０００３から構成され、人員情報に記載された情報を基に商品アイテムの組とそれぞれの数量のデフォルト値が入力されており、ユーザは特に要望のある項目についてのみ変更を加えればよいように数量設定テンプレートが生成され、表示されている。
例えば、人員情報に成人年齢の女性が居れば、備蓄防災商品の数量設定テンプレートは商品アイテム欄に生理用品が加えて生成され、その人数に応じた数量が設定される。また、年齢が2歳未満の乳幼児がいれば、粉ミルク及びおむつといった商品アイテムを加えて生成され、その人数に応じた数量がデフォルト値として設定される。
ここでは、一つの数量設定テンプレートのみが表示される方式が採用されているが、本発明で採用可能な表示の方式はこれに限定されるものではなく、予め設定した複数の商品アイテム選択方式と複数の数量計算方式によって生成された複数の数量設定テンプレートを表示して、ユーザがいずれかの数量設定テンプレートを選択する方式であってもよい。
【００３８】
新規注文依頼部８００３は、備蓄防災商品設定プレートで設定された備蓄防災商品リストを含む注文依頼電文を商品状態管理サーバ１００４に送信する。
図１１は、ユーザからの受注に基づく新規出荷の動作を示したシーケンス図である。
以下の説明において単に「携帯端末」と説明の便宜のため簡便に記載しているが、正確には、ユーザの携帯端末は「商品状態管理アプリをインストールした携帯端末」であり、納品業者の携帯端末は「業者用商品状態管理アプリをインストールした携帯端末」である。
【００３９】
注文申込ステップ１１００１において、携帯端末をユーザが操作することによって、防災商品の注文申込のための認証情報を含む申込電文を送信する。
【００４０】
ユーザ認証ステップ１１００２において、商品状態管理サーバ１００４によって、申込電文に含まれる認証情報及び商品状態管理アプリのアプリIDとユーザデータベース３０１０に格納された認証情報とアプリIDとの照合が行われる。
照合が成立すると、商品状態管理サーバ１００４によって、認証電文が申込を実行した携帯端末に返信される。
【００４１】
人員情報入力ステップ１１００３において、認証電文を受信した携帯端末によって、人員情報入力画面９０００が表示される。
ユーザによって、画面表示された人員情報入力フォーム９００１に人員情報が入力され、入力終了ボタン９００８の押下げがされると、次の備蓄防災商品リスト決定ステップ１１００４に動作が移る。
【００４２】
備蓄防災商品リスト決定ステップ１１００４において、携帯端末によって、備蓄防災商品の数量設定テンプレート画面１００００が表示される。
ユーザによって、画面表示された備蓄防災商品の数量設定テンプレート１０００１の各商品アイテムについての数量の確認又は修正が終了すると、決定ボタン１０００４の押下げがされると、備蓄防災商品リストが決定され、次の注文ステップ１１００５に動作が移る。
【００４３】
注文ステップ１１００５において、携帯端末によって、決定された備蓄防災商品リストを含む発注電文を商品状態管理サーバ１００４に送信する。
【００４４】
受注ステップ１１００６において、商品状態管理サーバ１００４によって、
ユーザの携帯端末１００６から送信された備蓄防災商品リストを含む発注電文を受信する。
【００４５】
新規出荷依頼ステップ１１００７において、商品状態管理サーバ１００４によって、納入業者の携帯端末に対して備蓄防災商品リストに係る防災商品についての出荷依頼電文を送信する。
【００４６】
入荷作業ステップ１１００８において、納入業者によって、備蓄防災商品リストに係る商品の備蓄先における入荷作業が行われる。
【００４７】
入荷対象商品読取ステップ１１００９において、納入業者の携帯端末によって、入荷作業に係る防災商品に取付けられた2次元コードの読取が行わる。
【００４８】
入荷報告ステップ１１０１０において、納入業者に操作された携帯端末によって、商品状態監視サーバ１００４に対して入荷した防災商品の固有IDを含む新規入荷報告の電文が送信される。
【００４９】
登録ステップ１１０１１において、商品状態管理サーバによって、受信した入荷対象商品に係る商品データを商品データベースに登録する。
【００５０】
ユーザの携帯端末において実現される機能構成部の説明に戻る。
通知受信部８００４は、商品状態管理サーバからの当該ユーザの携帯端末１００８にインストールされた商品状態管理アプリを対象アプリとしたプッシュ通知に応じたユーザのアプリ起動アクションに応じて、プッシュ通知に係る入替予告通知の内容を示す画面（商品状態管理アプリがインストールされた携帯端末の機能で表示される、ユーザのアクションを受け入れ、ユーザのアクションに応じた情報表示等をする画面である。以下、インストールされた商品状態管理アプリの機能により表示される画面をアプリ画面という。）を表示する。
【００５１】
図１２は、入替予告通知のアプリ画面を示したイメージ図である。
通知画面１２０００において、入替対象となる防災商品の表示エリア１２００１、使用期限の表示エリア１２００２そして入替指令を実行させるためのユーザからのアクションを受け入れる入替指令ボタン１２００３が表示される。
【００５２】
入替指令部８００５は、入替指令ボタン１２００３に対するアクションをトリガとして、商品状態管理サーバ１００４に対して、当該入替対象となる防災商品について入替指令を送信する。
【００５３】
ID取得部８００６は、所定のアプリ画面に対するユーザからの読取開始アクションの検知に応じて、当該携帯端末に備えられたスキャナーと協働して、このスキャナーが取得した画像に含まれるコードからコードに格納された固有IDを取得する。
【００５４】
閲覧部８００７は、ユーザから所定のアプリ画面に対する閲覧依頼操作を受けてID取得部により取得された固有IDやユーザによって入力された固有IDに該当する防災商品の商品情報を商品データベースにアクセスして取得し、当該携帯端末に閲覧のためのアプリ画面を表示する。
更新依頼部８００８は、ID取得部により取得された固有IDやユーザによって入力された固有IDに該当する防災商品の商品情報の商品データを更新依頼する電文を商品状態管理サーバに送信する。
【００５５】
図１３は、ID読取及び閲覧依頼依頼の操作を受け入れるアプリ画面のイメージ図である。
ユーザが閲覧を望む防災商品の固有IDを入力する入力欄１３００１、スキャナーを使って防災商品に取付けられた2次元コードを読取る機能を起動するスキャンボタン１３００２、入力及びスキャンで取得された、閲覧を所望する防災商品の固有IDのリスト１３００３そしてこのリストに表示された防災商品の閲覧を開始するための閲覧開始ボタン１３００４という構成である。ここに表示されたボタンに対してユーザがボタン押下げアクションをすることにより、所望の機能に係る動作がこのアプリを実装した携帯端末が商品状態管理サーバ等と協働して実行される。
【００５６】
図１４は、ユーザの操作によって携帯端末に表示された閲覧のアプリ画面である。アプリ画面１４０００において、閲覧項目１４００１、入力または読取された固有IDに係る商品情報１４００２そして更新依頼ボタン１４００３という画面構成である。
ユーザからの更新依頼ボタン１４００３に対する押下げアクションが検知されると、更新依頼部の動作により、表示された固有IDの防災依頼商品に係るデータ更新依頼の電文が商品状態管理サーバ１００４に送信される。
【００５７】
（納入業者端末）
図１５は、本実施例の商品状態管理システムの運営者から提供される商品状態管理のための業者用商品状態管理アプリをインストールした納入業者の携帯端末１００９において実現される機能構成を示したブロック図である。
商品状態管理サーバ１００４との通信を制御する通信制御部１５００１、ID取得部１５００２、閲覧部１５００３、入替報告部１５００４そして入荷報告部１５００５という機能構成部から構成される。
【００５８】
ID取得部１５００２は、所定の納品業者用アプリケーションをインストールした携帯端末のアプリ画面に対する納品業者からの読取開始アクションの検知に応じて、当該携帯端末に備えられたスキャナーと協働して、このスキャナーが取得した画像に含まれるコードからコードに格納された固有IDを取得する。
【００５９】
閲覧部１５００３は、ID取得部１５００２で取得された固有IDに係る防災商品の商品情報を表示する。
図１６は、ID取得及び閲覧開始のためのアプリ画面の一例を示したイメージ図である。アプリ画面１６０００において、読取機能を起動する読取ボタン１６００１、読取された固有IDのリスト表示１６０００２そしてリスト表示された固有IDに係る防災商品の商品情報を表示するための情報表示ボタン１６００３という画面構成である。
【００６０】
図１７は、閲覧部１５００３の動作によって表示された商品情報表示画面の一例である。アプリ画面１７０００において、データ項目名１７００１、取得された固有IDに係るデータ１７００２、入替報告ボタン１７００３そして入荷報告ボタン１７００４という構成である。
【００６１】
入替報告部１５００４は、入替作業を行う納品業者の操作によって取得した入替対象商品の固有IDを商品状態管理サーバに送信する。
ここでは、閲覧部によって表示されたアプリ画面１７０００における入替報告ボタン１７００３に対するボタン押下げアクションが検知されると、このアプリ画面に表示された固有IDに係る防災商品の入替が報告される。
【００６２】
入荷報告部１５００５は、入荷作業を行う納品業者の操作によって取得した入荷対象商品の固有IDを商品状態管理サーバに送信する。
ここでは、閲覧部によって表示されたアプリ画面１７０００における入荷報告ボタン１７００４に対するボタン押下げアクションが検知されると、このアプリ画面に表示された固有IDに係る防災商品の入替が報告される。
【００６３】
（入替に係る動作）
図１８は、入替に係る本実施例のシステムの構成要素の動作を示したシーケンス図である。
【００６４】
待機ステップ１８００１において、ユーザの携帯端末１００６は、商品状態管理アプリを宛先としたプッシュ通知を待機している。
【００６５】
監視タイミングチェックステップ１８００２において、商品状態管理サーバによって、所定の周期で監視タイミングのチェックが行われる。
監視タイミングである場合、商品状態管理サーバの動作は、入替時期チェックステップにうつり、監視タイミングでなければ次の周期でタイミングチェックステップを行う。
【００６６】
入替時期チェックステップ１８００３において、商品状態管理サーバによって、商品データベースに登録された防災商品の使用期限が、そのタイミングにおいて予め商品アイテムごとに設定した計算方式によって決定される入替時期であるかどうかの判断が行われる。
入替時期に該当する防災商品があると判断されると、商品状態管理サーバの動作は入替予告通知ステップ１８００４にうつり、入替時期と判断される防災商品がなければ、次の周期でのタイミングチェックステップ１８００２に戻る。
【００６７】
入替予告通知ステップ１８００４において、商品状態管理サーバによって、その防災商品のユーザの利用者情報に登録されている宛先に入替予告通知をプッシュ通知する。
入替予告通知受信ステップ１８００５において、ユーザの携帯端末によって、プッシュ通知された入替予告通知に対する所定のアプリ起動アクションが検知される。
アプリ起動ステップ１８００６において、ユーザの携帯端末で商品状態管理アプリが起動し、入替時期に該当する防災商品を通知する画面（図１２に示すアプリの通知画面１２０００）が表示される。
【００６８】
入替指令ステップ１８００７において、ユーザの携帯端末において、通知画面に対するユーザからの入替指令ボタンの押下げアクションが検知され、商品状態管理サーバに対して入替指令の電文が送信される。
入替依頼ステップ１８００８において、商品状態管理サーバによって、入替依頼の電文が納入業者の携帯端末に送信される。
【００６９】
入替作業ステップ１８００９において、ユーザの防災商品の備蓄先で、納入業者によって、入替作業が行われる。
入替対象商品読取ステップ１８０１０において、納入業者の携帯端末によって、入替対象商品に取付けられた2次元コードの読取が行わる。
図１６は、入替対象商品の2次元コードの読取をするときのアプリ画面である。
【００７０】
入替報告ステップ１８０１１において、納入業者に操作された携帯端末によって、商品状態監視サーバに対して入替報告の電文が送信される。
図１７は、入替報告を送信するための納入業者のアクションを受け入れるアプリ画面である。
【００７１】
入替納入商品読取ステップ１８０１２において、ユーザによる携帯端末操作によって、入替により納入された入替納入商品の固有IDの読取が行われる。
【００７２】
更新依頼ステップ１８０１３において、ユーザによる携帯端末操作によって、入替納入商品の固有IDを含むデータ更新依頼の電文が商品状態管理サーバに送信される。
【００７３】
データ更新ステップ１８０１４において、商品状態管理サーバによって、受信した入替対象商品に係る商品データを入替納入商品の商品データに更新する。
【００７４】
このような動作によって、備蓄先の防災商品の商品状態が維持され、その商品データも更新される。備蓄先の商品状態と商品データとは同期されており、商品入替後も更新された商品データに基づいてる商品状態を維持することが可能となる。
【産業上の利用可能性】
【００７５】
防災商品の取り扱い業者及び防災商品を備蓄する家庭のユーザが、備蓄先の商品状態を管理する用途に適用できる。
【符号の説明】
【００７６】
１００１    備蓄先
１００２    防災商品
１００３    2次元コード
１００４    商品状態管理サーバ
１００６    ユーザの所持する携帯端末
１００７    通信ネットワーク
１００９    納入業者の所持する携帯端末
１０１０    入替納入商品
【要約】
【課題】備蓄中の防災商品について防災商品についてその商品状態データを管理して、備蓄中の防災商品についての情報共有を可能にし、家庭等に備蓄された防災商品の入替が正しく実行されて、常に備蓄が正しい状態に維持されるように、ユーザが管理できるシステムを提供する。
【解決手段】防災商品に付与された固有IDに関連付けて、使用期限を含む商品情報及びユーザ情報を記憶する商品データベースと、使用期限を所定の監視スケジュールで監視をして、この防災商品の入替時期か否かを判定し、入替時期であると判定された場合において、入替予告通知を送信する入替予告通知手段と、入替予告通知を自動受信する通知受信手段、入替予告通知に係る防災商品の注文依頼を送信する入替指令手段及び商品情報を商品データベースに接続して閲覧する閲覧手段を携帯端末にインストールされて該携帯端末と協働して実現するソフトプログラムと、を含むシステム。
【選択図】図１【図１】
0006679080.tif 000002
【図２】
0006679080.tif 000003
【図３】
0006679080.tif 000004
【図４】
0006679080.tif 000005
【図５】
0006679080.tif 000006
【図６】
0006679080.tif 000007
【図７】
0006679080.tif 000008
【図８】
0006679080.tif 000009
【図９】
0006679080.tif 000010
【図１０】
0006679080.tif 000011
【図１１】
0006679080.tif 000012
【図１２】
0006679080.tif 000013
【図１３】
0006679080.tif 000014
【図１４】
0006679080.tif 000015
【図１５】
0006679080.tif 000016
【図１６】
0006679080.tif 000017
【図１７】
0006679080.tif 000018
【図１８】
0006679080.tif 000019